(57)【特許請求の範囲】
【請求項１】
外箱と、
前記外箱内に中心軸が後方に向かって下降する軸線上に位置するようにして弾性支持され、背面側が閉塞された有底円筒状の水槽と、
前記水槽内に前記軸線を中心に回転可能に設けられ、背面側が閉塞された有底円筒状をなし、周壁に多数の孔を有するドラムと、
前記水槽の背面側の外側に設けられ、前記ドラムを駆動するモータと、
前記ドラムの内周部に設けられ、前記軸線に沿うようにして前後方向に延びると共に前記ドラムの回転中心軸側に突出するバッフルと、
少なくとも洗い及びすすぎ時に、前記モータの正逆回転の制御をする制御手段とを具備し、
前記バッフルは、前記軸線に沿う線に対して周方向の一方側に位置し且つ前記ドラムの前面側に位置する第１の突条部と、前記軸線に沿う線に対して周方向の他方側に位置し且つ前記ドラムの背面側に位置する第２の突条部と、前記第１の突条部と前記第２の突条部との間に位置する第３の突条部とを有し、前記第１の突条部と前記第３の突条部とによって湾曲した第１の凹部が形成され、前記第２の突条部と前記第３の突条部とによって前記第１の凹部とは逆向きに湾曲した第２の凹部が形成され、
前記ドラムの孔は、前記ドラムの中心よりも前面側半部に形成された方の数が前記ドラムの中心よりも背面側半部に形成された方の数よりも多いことを特徴とするドラム式洗濯機。
【請求項２】
前記ドラム内の洗濯物の重量を検出する重量検出手段が設けられ、
前記制御手段は、前記重量検出手段から出力される信号に基づいて、前記ドラムの正逆回転の割合を変更することを特徴とする請求項１に記載のドラム式洗濯機。
【請求項３】
外箱と、
前記外箱内に中心軸が後方に向かって下降する軸線上に位置するようにして弾性支持され、背面側が閉塞された有底円筒状の水槽と、
前記水槽内に前記軸線を中心に回転可能に設けられ、背面側が閉塞された有底円筒状をなし、周壁に多数の孔を有するドラムと、
前記水槽の背面側の外側に設けられ、前記ドラムを駆動するモータと、
前記ドラムの内周部に設けられ、前記軸線に沿うようにして前後方向に延びると共に前記ドラムの回転中心軸側に突出するバッフルと、
少なくとも洗い及びすすぎ時に、前記モータの正逆回転の制御をする制御手段と、
前記ドラム内の洗濯物の重量を検出する重量検出手段と、を備え、
前記バッフルは、前記軸線に沿う線に対して周方向の一方側に位置し且つ前記ドラムの前面側に位置する第１の突条部と、前記軸線に沿う線に対して周方向の他方側に位置し且つ前記ドラムの背面側に位置する第２の突条部と、前記第１の突条部と前記第２の突条部との間に位置する第３の突条部とを有し、前記第１の突条部と前記第３の突条部とによって湾曲した第１の凹部が形成され、前記第２の突条部と前記第３の突条部とによって前記第１の凹部とは逆向きに湾曲した第２の凹部が形成され、
前記制御手段は、前記重量検出手段から出力される信号に基づいて、前記ドラムの正逆回転の割合を変更することを特徴とするドラム式洗濯機。
【請求項４】
前記バッフルは、前記第１の突条部及び前記第３の突条部の側面のうち前記第１の凹部側の面に第１の段差部を有し、前記第２の突条部及び前記第３の突条部の側面のうち前記第２の凹部側の面に第２の段差部を有していることを特徴とする請求項１から３のいずれか一項に記載のドラム式洗濯機。
【請求項５】
前記水槽の背面側の底部に形成された取水口と、
前記水槽の前面側の上部に形成された放水口と、
前記取水口と前記放水口をつなぐようにして設けられた循環経路と、
前記循環経路中に設けられ、前記水槽の前記取水口から取出された水を前記放水口から前記ドラム内に放出させる循環ポンプと、を有していることを特徴とする請求項１から４のいずれか一項に記載のドラム式洗濯機。
【請求項６】
前記制御手段は、脱水行程時に、前記バッフルにおいて前記第３の突条部の後部よりも前部が先行する方向に、前記ドラムを回転させることを特徴とする請求項１から５のいずれか一項に記載のドラム式洗濯機。
【請求項７】
前記ドラム内の洗濯物の重量を検出する重量検出手段が設けられ、
前記制御手段は、脱水行程時に、前記ドラムの回転数が目標回転数に達するまでの時間を、前記重量検出手段が検出した洗濯物の量が多いほど長くするように前記モータを制御することを特徴とする請求項６記載のドラム式洗濯機。
【発明の詳細な説明】
【技術分野】
【０００１】
本発明は、ドラムに設けられるバッフルを改良したドラム式洗濯機に関する。
【背景技術】
【０００２】
一般に、ドラム式洗濯機は、背面側が閉塞された有底円筒状の水槽を有している。この水槽は、外箱内に中心軸が後方に向かって下降する軸線上に位置するようにして弾性支持されている。水槽内には、モータの駆動によって回転するドラムが回転可能に設けられている。そして、ドラムの内周部には、洗濯物を掻き上げるための複数個のバッフルが設けられている。バッフルは、例えば、水槽の前後方向にまっすぐ延びている（例えば、特許文献１参照）。
【０００３】
このようなドラムにバッフルを備えるドラム式洗濯機は、例えば洗い時及びすすぎ時にドラムが正転（ドラム式洗濯機を正面から見て時計回り方向に回転）するときに、バッフルの前後方向に延びる一方の側面で洗濯物が掻き上げられると共に前方から後方へ移動され、ドラムの回転方向が逆転（ドラム式洗濯機を正面から見て反時計回り方向に回転）するときには、バッフルの前後方向に延びる他方の側面で洗濯物が掻き上げられると共に後方から前方へ移動される。これにより、洗濯物は、ドラムの回転によって前後に移動されて撹拌されると共に、叩き洗いされる。
【先行技術文献】
【特許文献】
【０００４】
【特許文献１】特開２００７−１６７２６３号公報
【発明の概要】
【発明が解決しようとする課題】
【０００５】
しかしながら、バッフルの側面は水槽の軸線に沿うようにして前後方向にまっすぐ延びているので、洗い時及びすすぎ時にドラムが回転すると、洗濯物はバッフルの側面に沿ってバッフルの前端部或いは後端部まで一気に移動してしまい、洗濯物がドラム内の前側或いは背面側で偏った状態で落下することがある。この場合、例えばドラムの前側では、他の洗濯物がクッションの作用をして洗濯物の落下の衝撃が弱められ、背面側では、かさが増して洗濯物が洗濯水に十分に浸からなくなり、これにより、叩き洗い効果が十分に得られなくなることがある。そのため、洗い及びすすぎが不十分となってしまうことがある。
【０００６】
本発明は、上記の事情に鑑みてなされたものであり、その目的は、洗濯物を十分に叩き洗い効果を得ることができて、洗い及びすすぎを効率よく行うことができるドラム式洗濯機を提供することである。
【課題を解決するための手段】
【０００７】
上記目的を達成するために、本発明のドラム式洗濯機は、外箱と、前記外箱内に中心軸が後方に向かって下降する軸線上に位置するようにして弾性支持され、背面側が閉塞された有底円筒状の水槽と、前記水槽内に前記軸線を中心に回転可能に設けられ、背面側が閉塞された有底円筒状をなし、周壁に多数の孔を有するドラムと、前記水槽の背面側の外側に設けられ、前記ドラムを駆動するモータと、前記ドラムの内周部に設けられ、前記軸線に沿うようにして前後方向に延びると共に前記ドラムの回転中心軸側に突出するバッフルと、少なくとも洗い及びすすぎ時に、前記モータの正逆回転の制御をする制御手段とを具備し、前記バッフルは、前記軸線に沿う線に対して周方向の一方側に位置し且つ前記ドラムの前面側に位置する第１の突条部と、前記軸線に沿う線に対して周方向の他方側に位置し且つ前記ドラムの背面側に位置する第２の突条部と、前記第１の突条部と前記第２の突条部との間に位置する第３の突条部とを有し、前記第１の突条部と前記第３の突条部とによって湾曲した第１の凹部が形成され、前記第２の突条部と前記第３の突条部とによって前記第１の凹部とは逆向きに湾曲した第２の凹部が形成され、前記ドラムの孔は、前記ドラムの中心よりも前面側半部に形成された方の数が前記ドラムの中心よりも背面側半部に形成された方の数よりも多いことを特徴とする。
【発明の効果】
【０００８】
本発明のドラム式洗濯機によれば、ドラムの内周部に設けられたバッフルに第１の凹部及び第１の凹部とは逆向きの第２の凹部を形成したので、洗い時及びすすぎ時にドラムが正逆回転すると、洗濯物は、ドラムの一方向の回転時には第１の凹部又は第２の凹部の一方に移動され、ドラムの他方向の回転時には前記一方向の回転時とは反対側の凹部に移動される。これにより、ドラムが正逆回転すると、洗濯物は、第１の凹部内或いは第２の凹部内からドラム内の前面側半部或いは背面側半部に分散して落下し、十分な叩き洗い効果が得られ、洗濯物の洗い及びすすぎを効率よく行うことができる。
【図面の簡単な説明】
【０００９】
【図１】本発明の第１実施形態を示すドラム式洗濯機全体の縦断側面図
【図２】ドラム式洗濯機全体の破断斜視図
【図３】主要部分の展開平面図
【図４】バッフルの形状を示す図で、（ａ）は斜視図、（ｂ）は側面図、（ｃ）は正面図
【図５】主要部分の作用を表した正面図
【図６】ドラムの回転時間の長さを表したタイムチャート
【図７】洗い行程時及びすすぎ行程時のドラムの回転時間の長さを示す図
【図８】脱水行程時のドラムの回転数の変化を示す図
【図９】本発明の第２実施形態を示す図３相当図
【図１０】本発明の第３実施形態を示す図３相当図
【発明を実施するための形態】
【００１０】
以下、本発明の第１の実施形態につき、図１から図８を参照して説明する。
まず、図１及び図２には、ドラム式洗濯機の全体構造が示されている。ドラム式洗濯機の外箱１は、詳細には、合成樹脂製の基台１Ａと、基台１Ａに結合された箱本体１Ｂとから構成されている。そのうちの箱本体１Ｂの前面部（図１で左側）のほぼ中央部には、洗濯物出入口２が形成され、洗濯物出入口２を開閉する扉３が設けられている。又、箱本体１Ｂの前面部の上部には、操作パネル４が設けられ、その裏側（外箱１内）には、制御手段たる制御装置５が設けられている。
【００１１】
外箱１内には、背面側が閉塞された有底円筒状の水槽６が設けられている。水槽６は、外箱１内に中心軸が後方（図１で右側）に向かって下降する軸線上に位置するようにしてサスペンション７によって弾性支持されている。
水槽６の背面側の外側には、モータ８が設けられている。このモータ８は、例えば直流のブラシレスモータから成るもので、アウターロータ形であり、ステータ８Ａ及びロータ８Ｂを有している。ステータ８Ａは、水槽６の背面側の外側に取付けられ、ロータ８Ｂの中心部の回転軸８Ｃは、軸受ブラケット９に軸受１０を介して支承されて水槽６の内部に挿通されている。
【００１２】
水槽６内には、背面側が閉塞された有底円筒状のドラム１１が設けられており、この実施形態のドラム式洗濯機は、ドラム１１を片持ち支持した構成となっている。このドラム１１は、背面側の外側の中心部がモータ８の回転軸８Ｃの先端部に連結され、水槽６の軸線を中心に回転可能に設けられ、モータ８により駆動される。この場合、モータ８は、ドラム１１を回転させる駆動装置として機能する。
【００１３】
ドラム１１の周壁（胴部）には、孔１２が全域にわたって多数形成されている。この場合、孔１２は、ドラム１１の前後の中央よりも前面側半部（前半部）、即ちドラム１１の前後の中心よりも前方の領域に形成された方（図面で孔１２Ａとして示す）の数が、ドラム１１の中央よりも背面側半部（後半部）、即ちドラム１１の前後の中心よりも後方の領域に形成された方（図面で孔１２Ｂとして示す）の数よりも多くなるように設定されている。
又、ドラム１１の内周部には、洗濯物掻き上げ用のバッフル１３が複数、例えば３個等間隔に設けられている。このバッフル１３は後に詳述する。
【００１４】
ドラム１１及び水槽６は、ともに前面側が開口している。そのうちのドラム１１の前面側の開口部１４の周囲部内側には、例えば液体封入形の回転バランサ１５が設けられている。水槽６の前面側の開口部１６は、環状の弾性材例えばゴムから成るベローズ１７により洗濯物出入口２に連結されている。この結果、洗濯物出入口２は、ベローズ１７、水槽６の開口部１６、及びドラム１１の開口部１４を介して、ドラム１１の内部に連なっている。
【００１５】
水槽６の背面側の底部には、取水口を兼用する排水口１８が形成されている。この排水口１８には、機内排水ホース１９の一端部が接続されている。又、機内排水ホース１９の他端部は、外箱１の基台１Ａの前部に設けられたフィルタケース２０の機内排水ホース接続口２１に接続されている。
【００１６】
フィルタケース２０は、上部に前記機内排水ホース接続口２１が形成され、前端部にキャップ２２が装着されている。フィルタケース２０は、内部にキャップ２２と一体のリントフィルタ（図示せず）が収納されている。又、フィルタケース２０の下部には、排水弁２３が接続されており、この排水弁２３の出口部に排水パイプ２４が接続されている。排水パイプ２４の先端部は、外箱１の基台１Ａから機外に臨み、図示しない機外排水ホースに接続されるようになっている。
【００１７】
一方、フィルタケース２０の後端部には、循環ポンプ２５が設けられている。この循環ポンプ２５は、水槽６（ドラム１１）内の水を排水口１８、機内排水ホース１９及びフィルタケース２０を介して吸引するものである。循環ポンプ２５は、周側部（図で上部）に吐出口２６が形成され、この吐出口２６に送水ホース２７の一端部が接続されている。送水ホース２７は、中間部がベローズ１７の周側方から上方へ延びており、先端部が水槽６の開口部１６の上部に形成された放水口たる噴水ノズル２８に接続されている。この噴水ノズル２８は、ドラム１１の内部のうちの後半部側に噴水されるように取付けられている。この結果、排水口１８と噴水ノズル２８とをつなぐようにして循環経路３０が形成される。即ち、循環経路３０は、水槽６、ドラム１１、排水口１８、機内排水ホース１９、フィルタケース２０、送水ホース２７及び噴水ノズル２８から形成され、循環ポンプ２５が循環経路３０中に位置するように設けられている。そして、循環ポンプ２５が、水槽６の排水口１８から取出された水を噴水ノズル２８からドラム１１内、この場合、ドラム１１の後半部側（図１で矢印Ｘ方向）に向かってシャワー状に放出するようにしている。
【００１８】
フィルタケース２０の前部の上部には、エアトラップ３１が設けられている。このエアトラップ３１と外箱１内の最上部に配設した水位センサ３２とは、エアチューブ３３によって接続されている。この結果、水位センサ３２は、水槽６内の水位を、機内排水ホース１９、フィルタケース２０、エアトラップ３１及びエアチューブ３３を介して検出するようになっており、水位検出手段として機能するようになっている。
【００１９】
外箱１内の最上部には、給水弁３４及び給水ケース３５が設けられている。給水弁３４は、入口部に図示しない水道の蛇口に接続した機外給水ホース（図示せず）が接続されるようになっており、出口部に接続パイプ３６の一端部が接続されている。接続パイプ３６の他端部は、前記給水ケース３５に接続されている。給水ケース３５は、内部に洗剤貯留部（図示せず）を有している。この給水ケース３５には、機内給水ホース３７の一端部が接続され、機内給水ホース３７の他端部が水槽６の上部に接続されている。その結果、水道から給水弁３４を介して供給される水は、接続パイプ３６、給水ケース３５の洗剤貯留部及び機内給水ホース３７を介して水槽６内に供給される。又、給水弁３４と給水ケース３５は、水槽６内に給水する通常の給水装置３８を構成している。
【００２０】
さて、上述のバッフル１３は、図１から図５に示すように、水槽６の軸線に沿うようにして前後方向に延びると共にドラム１１の回転中心軸側に突出している。このバッフル１３は、周方向の両側面部１３Ａ，１３Ｂが中央稜部１３Ｃに向かってせり上がる山脈形をなしている。中央稜部１３Ｃには、複数の孔１３Ｄが形成されている。尚、本実施形態では、側面部１３Ａを、ドラム式洗濯機を正面から見て時計回り方向（例えば図３及び図５中の矢印Ａ方向、正転方向）側の側面部とし、側面部１３Ｂを、ドラム式洗濯機を正面から見て反時計回り方向側（例えば図３及び図５中の矢印Ｂ方向、反転方向）の側面部とする。
【００２１】
このバッフル１３の中央稜部１３Ｃは、図３から図５に示すように、平面方向から見たときに正弦波のような湾曲をなしている。具体的には、中央稜部１３Ｃは、領域を長手方向に並ぶように３つに分けた場合、第１の突条部４１、第２の突条部４２及び第３の突条部４３から構成されている。第１の突条部４１は、水槽６の軸線に沿う線Ｌ（図３参照）に対して周方向の一方側（例えば、ドラム式洗濯機を正面から見て矢印Ａ方向側）に位置し且つドラム１１の前面側に位置している。第２の突条部４２は、軸線に沿う線Ｌに対して周方向の他方側（例えば、ドラム式洗濯機を正面から見て矢印Ｂ方向側）に位置し且つドラム１１の背面側に位置している。第３の突条部４３は、第１の突条部４１と第２の突条部４２との間に位置している。又、第１の突条部４１と第３の突条部４３とは滑らかな曲線でつながれ、第２の突条部４２と第３の突条部４３とも滑らかな曲線でつながれている。そして、第１の突条部４１と第３の突条部４３とによって第１の凹部４４が形成され、第２の突条部４２と第３の突条部４３とによって第１の凹部４４とは逆向きの第２の凹部４５が形成されている。即ち、第３の突条部４３は、図３に示すように、平面方向から見たときに水槽６の軸線に沿う線Ｌに対して斜めに交差するように設けられ、第３の突条部４３の前部に第１の凹部４４が位置し、後部に第２の凹部４５が位置している。
【００２２】
この場合、ドラム１１において、図３に示すように、第１の凹部４４は、ドラム１１の孔１２Ａを有する前半部に対応し、第２の凹部４５は、ドラム１１の孔１２Ｂを有する後半部に対応するようになっている。
【００２３】
又、バッフル１３は、第１の突条部４１及び第３の突条部４３の側面のうち第１の凹部４４側（側面部１３Ｂ側）の面に、複数の凸条部がバッフル１３の長手方向に沿って延びる第１の段差部４６を有している。又、バッフル１３は、第２の突条部４２及び第３の突条部４３の側面のうち第２の凹部４５側（側面部１３Ａ側）の面に、複数の凸条部がバッフル１３の長手方向に沿って延びる第２の段差部４７を有している。第１の段差部４６及び第２の段差部４７は、階段状をなしている（図４（ｃ）の第２の段差部４７参照）。
【００２４】
次に、上記構成の作用について説明する。尚、ドラム１１の中には洗濯物Ｗ（図５参照）が予め収容されている。
本実施形態では、例えば、使用者が操作パネル４を操作して通常の運転コース（洗い行程、すすぎ行程、脱水行程を行うコース）を選択すると、制御装置５は、操作パネル４から出力される信号に基づいて、まず洗濯物重量の検出を実行する。洗濯物重量の検出は、ドラム１１を所定の回転速度まで回転させ、それに要した時間と、その後、モータ８によるドラム１１の駆動を停止させてドラム１１を惰性回転させ、それによってドラム１１の回転速度が所定の回転速度まで下降するのに要した時間とから演算するもので、洗濯物Ｗの重量をモータ８の回転負荷でもって検出するものである。この後、上記洗濯物重量の検出結果から、洗濯物重量を判定し、それに応じた、洗剤量の決定と、洗い行程及びすすぎ行程における水位の決定をする。この場合、モータ８の回転速度を検出する速度検出手段が、ドラム１１内の洗濯物Ｗの重量を検出する重量検出手段となる。
【００２５】
又、制御装置５は、図６及び図７に示すように、重量検出手段である速度検出手段から出力される信号に基づいて、洗濯物Ｗの量（負荷量）に対応して洗い行程時及びすすぎ行程時のドラム１１の正逆回転の割合を変更する制御を行っている。図６は、洗い行程時及びすすぎ行程時におけるドラム１１の正転及び反転が繰り返し行われる動作のうちの１サイクル当たりの回転数の変化を示している。
【００２６】
具体的には、制御装置５は、洗濯物Ｗの量（負荷量）が所定の量よりも多いと判断した場合には、洗い行程及びすすぎ行程中のドラム１１の回転のうち正転の回転時間Ｔ１を逆転の回転時間Ｔ２よりも長く、例えば回転時間Ｔ１を３０秒とし回転時間Ｔ２を１０秒に設定する。一方、洗濯物Ｗの量（負荷量）が少ないと判断した場合には、洗い行程及びすすぎ行程中のドラム１１の正転の回転時間Ｔ１と、逆転の回転時間Ｔ２とを同じ、例えば回転時間Ｔ１及び回転時間Ｔ２を共に２０秒に設定する。
【００２７】
制御装置５は、重量検出後、給水弁３４を開放して、洗い行程用に決定した水位（洗濯物Ｗが浸される水位）まで水道水を供給する。この場合、給水ケース３５の洗剤貯留部には、制御装置５による洗剤量の判定に応じた量の洗剤が予め投入されている。ここで、ドラム１１は、中心軸が後方に向かって下降する水槽６の軸線を中心に回転可能に設けられているので、給水される水は、ドラム１１（水槽６）の背面側（後半部側）に溜まり、ドラム１１の前面側（前半部側）に向かうにつれて浅くなり、ドラム１１の前端部付近には水がほとんどない状態となる。
【００２８】
次に、制御装置５は、洗い行程を実行する。この洗い行程は、ドラム１１を低速で正逆両方向に交互に回転させることにより行うものであり、これにより、ドラム１１内に予め収容された洗濯物Ｗがバッフル１３により掻き上げられて落とされる叩き洗いが繰り返し行われる。ドラム１１の正転の回転時間Ｔ１及び逆転の回転時間Ｔ２は、上述の設定した正逆回転の割合で行われる。又、制御装置５は、洗い行程中、適宜循環ポンプ２５を駆動して、水槽６の排水口１８から取水される水槽６内の水を、水槽６の開口部１６の上部の噴水ノズル２８からドラム１１の後半部側に向かってシャワー状に供給させる。その後、制御装置５は、排水弁２３を開放させて、水槽６（ドラム１１）内の水を、水槽６の排水口１８から機内排水ホース１９、フィルタケース２０（リントフィルタ）、排水弁２３、排水パイプ２４及び機外排水ホースを通じて排出させる。
【００２９】
次に、制御装置５は、すすぎ行程を実行する。すすぎ行程では、制御装置５は、洗い行程と同様の給水、すすぎ、排水を繰り返し行う。
図３及び図５は、洗い時及びすすぎ時における洗濯物Ｗの様子を示している。ドラム１１が矢印Ａ方向に回転（正転）すると、洗濯物Ｗは、バッフル１３によって掻き上げられながら、バッフル１３の第３の突条部４３に隣接する側面部１３Ａに沿って前方から後方側（矢印Ｙ方向）へ移動する。この場合、バッフル１３の後半部側には、第２の凹部４５が形成されているので、ドラム１１が回転しても、洗濯物Ｗは、第２の凹部４５よりも後端側に移動されず、第２の凹部４５内に収まる。又、第２の凹部４５はバッフル１３の後半部側にあるので、第２の凹部４５内に収まっている洗濯物Ｗは、ドラム１１の回転によってドラム１１内の最上位置付近になると、洗濯物Ｗは自重によりドラム１１の後半部側に落ちて叩き洗いされる。このとき、ドラム１１の後半部側には多くの水が溜まっているので、洗濯物Ｗに水が浸み込みやすい。更に、循環ポンプ２５の駆動により、水槽６の排水口１８から取出される水槽６内の水が噴水ノズル２８からドラム１１の後半部側に向かってシャワー状に供給されているので、噴水ノズル２８から供給される水はドラム１１の後半部に位置する洗濯物Ｗに浸み込みやすい。
【００３０】
又、従来のようにまっすぐなバッフルを傾斜させたものでは、洗濯物がドラムの背面まで移動してしまい十分な落下距離が得られ難い。しかし、本実施形態の構成では、洗濯物Ｗの移動が第２の凹部４５により制限されるため、前記した効果を十分に得ることができる。
【００３１】
次に、ドラム１１が矢印Ｂ方向に回転（逆転）すると、洗濯物Ｗは、バッフル１３によって掻き上げられながら、バッフル１３の第３の突条部４３に隣接する側面部１３Ｂに沿って後方から前方側（矢印Ｚ方向）へ移動する。この場合、バッフル１３の前半部側には、第１の凹部４４が形成されているので、ドラム１１が回転しても、洗濯物Ｗは、第１の凹部４４よりも前端部に移動されず、第１の凹部４４内に収まる。又、第１の凹部４４はバッフル１３の前半部側にあるので、第１の凹部４４に収まっている洗濯物Ｗは、ドラム１１の回転によってドラム１１内の最上位置付近になると、洗濯物Ｗは自重によりドラム１１の前半部側に落ちて叩き洗いされる。このとき、ドラム１１の前半部にはほとんど水がないので、叩き洗いで洗濯物Ｗから水が押出されやすい。又、ドラム１１の前半部に形成された孔１２Ａの数が、後半部側に形成された孔１２Ｂの数よりも多いので、ドラム１１の前半部で叩き洗いによって洗濯物Ｗから押出された水は、ドラム１１の孔１２Ａを通って水槽６側に流入されやすい。
【００３２】
しかも、従来のようにまっすぐなバッフルを傾斜させたものでは、洗濯物を同様に前方に向かって移動させることができても、どこまで移動するかは決まっていなかった。しかし、本実施形態の構成では、洗濯物Ｗが第１の凹部４４に収められてから落下されるため、洗濯物Ｗの落下位置を一定でき、これにより、洗濯物Ｗ同士の叩き洗いによる相互洗浄効果を得ることができ、ドラム１１前方からの飛出しを防ぐことができる。
【００３３】
制御装置５は、すすぎ行程が終了すると、次に脱水行程を実行する。脱水行程では、制御装置５は、図８に示すように、ドラム１１を一方向に高速回転をさせるようにモータ８を制御し、洗濯物Ｗに対して遠心脱水を行う。図８は、脱水行程時におけるドラム１１の回転数の変化を示している。ドラム１１の回転方向は、この場合、洗濯物Ｗをドラム１１の後部側に移動させる方向、即ち、脱水行程時に、バッフル１３において第３の突条部４３の後部よりも前部が先行する方向（矢印Ａ方向、正転方向）である。
【００３４】
又、この脱水行程において、制御装置５は、図８に示すように、ドラム１１の回転数が目標回転数、この場合、脱水行程時の最大の回転数（定常回転数）に達するまでの時間を、重量検出手段が検出した信号に基づいて、洗濯物Ｗの量が多いほど長くするようにモータ８を制御している。言い換えると、制御装置５は、脱水行程時に、洗濯物Ｗが多いほどドラム１１の回転の加速度を小さくするようにモータ８を制御している。
【００３５】
具体的には、制御装置５は、重量検出手段の信号に基づいて、洗濯物Ｗの量（負荷量）が所定量である場合、図８のＤ線に示すように、所定時間ＴＤかけてドラム１１の回転数を目標回転数に達するようにし、ドラム１１の回転数が目標回転数に達すると、その回転数を維持した状態でドラム１１を所定時間Ｔ´Ｄ回転させるようにモータ８を制御する。又、制御装置５が重量検出手段の信号に基づいて、洗濯物Ｗの量が所定量よりも多いと判断した場合、図８のＥ線に示すように、目標回転数に達するまでの時間ＴＥを、洗濯物Ｗが所定量である場合の所定時間ＴＤよりも長くし、ドラム１１の回転数が目標回転数に達すると、その回転数を維持した状態でドラム１１を所定時間Ｔ´Ｅ回転させるようにモータ８を制御する。一方、洗濯物Ｗの量が少ないと判断した場合、図８のＦ線に示すように、目標回転数に達するまでの時間ＴＦを、洗濯物Ｗが所定量である場合の所定時間ＴＤよりも短くし、ドラム１１の回転数が目標回転数に達すると、その回転数を維持した状態でドラム１１を所定時間Ｔ´Ｆ回転するようにモータ８を制御する。
尚、制御装置５は、ドラム１１が目標回転数で回転している時間を、Ｔ´Ｅ≧Ｔ´Ｄ≧Ｔ´Ｆの関係となるようにモータ８を制御している。
【００３６】
脱水行程時における洗濯物Ｗの様子について図５を参照して説明する。
脱水行程時に、ドラム１１を矢印Ａ方向に回転（正転）させることにより、洗濯物Ｗは、バッフル１３の第３の突条部４３に隣接する側面部１３Ａに沿って前方から後方側（矢印Ｙ方向）へ移動する。そして、ドラム１１の後部側に移動された洗濯物Ｗに遠心力が作用すると、この洗濯物Ｗは、ドラム１１の後部側の側面に張り付き、洗濯物Ｗに残留している水分は、ドラム１１の孔１２Ｂから水槽６側に流入し、水槽６の排水口１８から排水される。
【００３７】
脱水行程が終了することにより、通常の運転コースが終了する。
上記構成によれば、ドラム１１の内周部に設けられたバッフル１３に第１の凹部４４及び第１の凹部４４とは逆向きの第２の凹部４５を形成したので、洗い時及びすすぎ時にドラム１１が正逆回転すると、洗濯物Ｗは、ドラム１１の一方向、例えば正転（矢印Ａ方向）の回転時には第２の凹部４５に移動され、ドラム１１の他方向、例えば逆転（矢印Ｂ方向）の回転時には第１の凹部４４に移動される。これにより、ドラム１１が正逆回転すると、洗濯物Ｗは、第１の凹部４４内或いは第２の凹部４５内からドラム１１内の前面側半部（前半部）或いは背面側半部（後半部）に分散して落下し、十分な叩き洗い効果が得られ、洗濯物Ｗの洗い及びすすぎを効率よく行うことができる。
【００３８】
即ち、ドラム１１の正逆回転により、洗濯物Ｗがドラム１１の前半部で叩き洗いされて水が押出された後、ドラム１１の後半部で叩き洗いされてドラム１１の後半部に溜められた水が洗濯物Ｗに浸み込み、再びドラム１１の前部で叩き洗いされて水が押出されるようになる。このような作用により、洗濯物Ｗに対して水の出入りが頻繁に行われるようになり、十分な叩き洗い効果が得られて、洗濯物Ｗに付いた汚れを落とし易くできる。特に、洗剤を含んだ水による洗い時においては、その叩き洗い効果が顕著である。尚、洗濯物Ｗから落ちた（剥がれた）汚れは、洗剤の効果により洗濯物Ｗに再付着しにくい。
【００３９】
ドラム１１の前半部に形成された孔１２Ａの数が、後半部側に形成された孔１２Ｂの数よりも多いので、ドラム１１の前半部で叩き洗いによって洗濯物Ｗから押出された水を水槽６側に早期に排出させることができるので、ドラム１１の前半部に水があまり存在しないようにできる。これにより、ドラム１１の前半部での叩き洗いで、洗濯物Ｗから水を容易に押出すことができる。
【００４０】
バッフル１３の第１の凹部４４内に第１の段差部４６を設け、第２の凹部４５内に第２の段差部４７を設けたので、第１の凹部４４及び第２の凹部４５に収まった洗濯物Ｗは、この第１の段差部４６及び第２の段差部４７に引っ掛かりやすくなり、これにより、洗濯物Ｗを掻き上げやすくできる。
【００４１】
循環ポンプ２５を設けて水槽６の排水口１８から取水される水槽６内の水を噴水ノズル２８からドラム１１の後半部側に向かってシャワー状に供給するようにしたので、ドラム１１の後半部にある洗濯物Ｗに水を浸み込ませやすくすることができる。
【００４２】
制御装置５が重量検出手段から出力される信号に基づいて、ドラム１１の正逆回転の割合を変更するようにしたので、洗濯物Ｗの量によって洗濯物Ｗに浸み込ませる水の量を変更することができる。本実施形態では、洗濯物Ｗが多い場合に、正転の回転時間Ｔ１を逆転の回転時間Ｔ２よりも長くしたので、洗濯物Ｗに水が浸み込む時間が長くなり、洗濯物同士が乾いた状態でこすれてしまうことを極力防止することができる。
【００４３】
脱水行程時に、洗濯物Ｗをドラム１１の後部側に移動させる方向にドラム１１を回転させるようにしたので、脱水行程時には多くの洗濯物Ｗはドラム１１の後部側に位置している。これにより、洗濯物Ｗがドラム１１の前方に位置する扉３やベローズ１７に引っ掛かることによる異常音の発生を防止することができる。又、一般に、ドラムを片持ち支持した構成の洗濯機は、アンバランスが発生しやすい、即ち、ドラムが回転の際にふらつきやすい。しかし、本実施形態では、洗濯物Ｗを、ドラム１１の後部側、即ちドラム１１を支持している付近に移動させる構成であるので、アンバランスの発生を極力防止することができる。
【００４４】
又、制御装置５は、脱水行程時に、ドラム１１の回転数が目標回転数に達するまでの時間を洗濯物Ｗの量が多いほど長くするようにモータ８を制御している。この構成によれば、洗濯物Ｗが多い場合、脱水行程時に洗濯物Ｗがドラム１１の側面に張り付くのに時間がかかるが、ドラム１１の回転数が目標回転数に達するまでの時間を洗濯物Ｗの量が多いほど長くすることにより、洗濯物Ｗがドラム１１の側面に張り付く前に多くの洗濯物Ｗをドラム１１の後部側に移動させることができる。これにより、アンバランスの発生を極力防止することができる。一方、洗濯物Ｗの量が少ない場合には、ドラム１１の回転数は速く目標回転数に達するので、洗濯物Ｗを素早くドラム１１の後部側に移動させることができると共に、脱水時間を短縮することができる。
又、脱水行程時の目標回転数で回転させる時間Ｔ´Ｅ，Ｔ´Ｄ，Ｔ´Ｆを、洗濯物Ｗの量が少ないほど短くすることによっても、脱水時間を短縮することができる。
【００４５】
次に、本発明の第２の実施形態を図９を参照して説明する。尚、上記第１の実施形態と同一部分には同一符号を付し、その詳細な説明は省略する。
第２の実施形態では、第１の実施形態のバッフル１３の代わりに、バッフル５１がドラム１１の内周部に設けられている。
バッフル５１は、第１の実施形態のバッフル１３（図３参照）と同様に水槽６の軸線に沿うようにして前後方向に延びると共にドラム１１の回転中心軸側に突出している。このバッフル５１も、周方向の両側面部５１Ａ，５１Ｂが中央稜部５１Ｃに向かってせり上がる山脈形をなしている。中央稜部５１Ｃには、複数の孔５１Ｄが形成されている。尚、本実施形態では、側面部５１Ａを、ドラム式洗濯機を正面から見て時計回り方向（図９中の矢印Ａ方向）側の側面部とし、側面部５１Ｂを、ドラム式洗濯機を正面から見て反時計回り方向側（図９中の矢印Ｂ方向）の側面部とする。
【００４６】
このバッフル５１の中央稜部５１Ｃは、平面方向から見たときに三角波のような形状をなしている。具体的には、中央稜部５１Ｃは、領域を長手方向に並ぶように３つに分けた場合、第１の突条部５２、第２の突条部５３及び第３の突条部５４から構成されている。第１の突条部５２は、直線状をなし、水槽６（図１参照）の軸線に沿う線Ｌに対して周方向の一方側（例えば、ドラム式洗濯機を正面から見て矢印Ａ方向側）に位置し且つドラム１１の前面側に位置している。第２の突条部５３は、直線状をなし、軸線に沿う線Ｌに対して周方向の他方側（例えば、ドラム式洗濯機を正面から見て矢印Ｂ方向側）に位置し且つドラム１１の背面側に位置している。第３の突条部５４は、直線状をなし、第１の突条部５２と第２の突条部５３との間に位置している。又、第１の突条部５２と第３の突条部５４とは折れ曲がってつながれ、第２の突条部５３と第３の突条部５４とも折れ曲がってつながれている。そして、第１の突条部５２と第３の突条部５４とによって第１の凹部５５が形成され、第２の突条部５３と第３の突条部５４とによって第１の凹部５５とは逆向きの第２の凹部５６が形成されている。即ち、第３の突条部５４は、図９に示すように、平面方向から見たときに水槽６の軸線に沿う線Ｌに対して斜めに交差するように設けられ、第３の突条部５４の前部に第１の凹部５５が位置し、後部に第２の凹部５６が位置している。
【００４７】
又、バッフル５１は、第１の突条部５２及び第３の突条部５４の側面のうち第１の凹部５５側（側面部５１Ｂ側）の面に、複数の凸条部がバッフル５１の長手方向に沿って延びる第１の段差部５７を有している。又、バッフル５１は、第２の突条部５３及び第３の突条部５４の側面のうち第２の凹部５６側（側面部５１Ａ側）の面に、複数の凸条部がバッフル５１の長手方向に沿って延びる第２の段差部５８を有している。
【００４８】
上記構成によれば、第１の凹部５５が第１の実施形態の第１の凹部４４の作用をし、第２の凹部５６が第１の実施形態の第２の凹部４５の作用をして、第１の実施形態と同様の作用効果を得ることができる。
【００４９】
次に、本発明の第３の実施形態を図１０を参照して説明する。尚、上記第１の実施形態と同一部分には同一符号を付し、その詳細な説明は省略する。
第３の実施形態では、第１の実施形態のドラム１１の代わりに、ドラム６１を用いている。ドラム６１は、周壁（胴部）に孔６２が全域にわたって多数形成されている。この場合、孔６２は、ドラム６１の前後の中央よりも背面側半部（後半部）、即ちドラム６１の前後の中心よりも後方の領域に形成された方（図面で孔６２Ｂとして示す）の数が、ドラム６１の中央よりも前面側半部（前半部）、即ちドラム６１の前後の中心よりも前方の領域に形成された方（図面で孔６２Ａとして示す）の数よりも多くなるように設定されている。
【００５０】
上記構成によれば、脱水行程時に、洗濯物Ｗをドラム６１の後部側に移動させる方向にドラム６１が回転（正転、矢印Ａ方向）することにより、洗濯物Ｗは、バッフル１３の第３の突条部４３に隣接する側面部１３Ａに沿って前方から後方側へ移動する。これにより、ドラム６１の後部側に移動した洗濯物Ｗを、ドラム１１の後部側の側面に張り付かせ、洗濯物Ｗに残留している水分を、ドラム６１の孔６２Ｂから効率良く水槽６側に流入させることができる。
【００５１】
尚、本発明は上記し且つ図面に示す実施例に限定されず、次のような変形、拡張が可能である。
第１の実施形態のバッフル１３では、凹部を２つ（第１の凹部４４、第２の凹部４５）設ける構成とし、第２の実施形態のバッフル５１でも凹部を２つ（第１の凹部５５、第２の凹部５６）設ける構成として説明したが、凹部を３つ以上設ける構成にしても良い。
ドラム１１に設けるバッフル１３，５１の個数は、３個以外であっても良い。
第１の実施形態では、正転の回転時間Ｔ１を逆転の回転時間Ｔ２よりも長くして説明したが、正転の回転時間Ｔ１を逆転の回転時間Ｔ２より短くしても良い。
【００５２】
重量検出手段として、電流センサを用いる構成としとても良い。具体的には、制御装置５が、モータ８を駆動してドラム１１を回転させ、そのときの電流センサの検出電流の大きさと、制御装置５に予め記録されているデータに基づき、ドラム１１内に収容された洗濯物の重量を判断するようにしても良い。
本発明は、乾燥機能付きのドラム式洗濯機にも適用することができる。
その他、本発明の要旨を逸脱しない範囲内で適宜変更して実施し得る。
【符号の説明】
【００５３】
図面中、１は外箱、５は制御装置（制御手段）、６は水槽、８はモータ、１１，６１はドラム、１２，１２Ａ，１２Ｂは孔、１３，５１はバッフル、１８は排水口（取水口）、２５は循環ポンプ、２８は噴水ノズル（放水口）、３０は循環経路、４１，５２は第１の突条部、４２，５３は第２の突条部、４３，５４は第３の突条部、４４，５５は第１の凹部、４５，５６は第２の凹部、４６，５７は第１の段差部、４７，５８は第２の段差部を示す。
【図１】
0005534737.tif 000002
【図２】
0005534737.tif 000003
【図３】
0005534737.tif 000004
【図４】
0005534737.tif 000005
【図５】
0005534737.tif 000006
【図６】
0005534737.tif 000007
【図７】
0005534737.tif 000008
【図８】
0005534737.tif 000009
【図９】
0005534737.tif 000010
【図１０】
0005534737.tif 000011